(57)【特許請求の範囲】
【請求項１】
携帯電子機器の表面を覆うことができる表カバー部、前記携帯電子機器の裏面を覆うことができ且つ使用状態にあるときの前記携帯電子機器を支える裏カバー部、及び前記表カバー部と前記裏カバー部とを接続する側面カバー部を備えるカバー本体を備えており、
前記カバー本体は、前記表カバー部が前記裏カバー部の両側からそれぞれ前記側面カバー部によって接続されていて且つ閉じている状態では合わせ部分が互いに重なる左表カバー部と右表カバー部とを備えている観音開き式のカバー体であり、
前記カバー本体には、前記携帯電子機器のステレオ音声信号の出力に基づいてステレオ音声を出力する左右のスピーカが、前記左表カバー部と前記右表カバー部とに分かれて配置されていて、前記表カバー部を開いた際に左右に離れて表に現れる態様で配設されており、
前記携帯電子機器は、前記裏カバー部に対して、前記裏カバー部との平行を維持した状態で回動可能とされており、前記左右のスピーカは、９０度回動して横置き状態とされた前記携帯電子機器が当該左右のスピーカを覆うことがないように、前記左表カバー部と前記右表カバー部の上側又は下側に寄せて配置されていること
を特徴とする携帯電子機器用保護カバー。
【請求項２】
携帯電子機器の表面を覆うことができる表カバー部、前記携帯電子機器の裏面を覆うことができ且つ使用状態にあるときの前記携帯電子機器を支える裏カバー部、及び前記表カバー部と前記裏カバー部とを接続する側面カバー部を備えるカバー本体を備えており、
前記カバー本体は、一つの前記表カバー部が一つの前記裏カバー部の一方の側から前記側面カバー部によって接続されてなるブックカバー式のカバー体であり、
前記カバー本体には、前記携帯電子機器のステレオ音声信号の出力に基づいてステレオ音声を出力する左右のスピーカが、前記表カバー部と前記裏カバー部とに分かれて配置されていて、前記表カバー部を開いた際に左右に離れて位置する態様で配設されており、
前記携帯電子機器は縦置きされる状態で前記裏カバー部に対して横方向にスライド可能に置かれており、前記左右のスピーカは、横方向にスライドされた前記携帯電子機器が当該左右のスピーカを覆うことがないように、前記表カバー部と前記裏カバー部の外側に寄せられた状態で分かれて配置されていること
を特徴とする携帯電子機器用保護カバー。
【請求項３】
携帯電子機器の表面を覆うことができる表カバー部、前記携帯電子機器の裏面を覆うことができ且つ使用状態にあるときの前記携帯電子機器を支える裏カバー部、及び前記表カバー部と前記裏カバー部とを接続する側面カバー部を備えるカバー本体を備えており、
前記カバー本体は、一つの前記表カバー部が一つの前記裏カバー部の一方の側から前記側面カバー部によって接続されてなるブックカバー式のカバー体であり、
前記カバー本体には、前記携帯電子機器のステレオ音声信号の出力に基づいてステレオ音声を出力する左右のスピーカが、前記表カバー部と前記裏カバー部とに分かれて配置されていて、前記表カバー部を開いた際に左右に離れて位置する態様で配設されており、
前記携帯電子機器は、前記裏カバー部に対して、前記裏カバー部との平行を維持した状態で回動可能とされており、前記左右のスピーカは、９０度回動して横置き状態とされた前記携帯電子機器が当該左右のスピーカを覆うことがないように、前記表カバー部と前記裏カバー部の外側に寄せられた状態で分かれて配置されていること
を特徴とする携帯電子機器用保護カバー。
【請求項４】
前記携帯電子機器はカメラ機能を備えており、前記表カバー部を開いた状態で前記カメラ機能を使用するため、縦置き状態にある前記携帯電子機器を前記裏カバー部に対して回転させて横置き状態にする回転機構に対しては当該横置きされた携帯電子機器を横方向にスライドさせるスライド機構が、又は前記携帯電子機器を前記裏カバー部に対してスライドさせるスライド機構に対してはそのスライド方向と交差する方向にスライドさせる別のスライド機構が組み合わされていることを特徴とする請求項１〜３のいずれか一項に記載の携帯電子機器用保護カバー。
【請求項５】
前記携帯電子機器は前記ステレオ音声信号を出力するイヤフォン出力ジャックを備えており、前記カバー本体は前記携帯電子機器の前記イヤフォン出力ジャックに差込み接続可能なイヤフォン入力プラグを備えており、前記イヤフォン入力プラグは、接続状態で入力される前記ステレオ音声信号を増幅可能なアンプ内蔵式の前記左右のスピーカに、又は接続状態で入力される前記ステレオ音声信号を増幅するアンプを介してアンプ非内蔵式の前記左右のスピーカに有線にて接続されていることを特徴とする請求項１〜４のいずれか一項に記載の携帯電子機器用保護カバー。
【請求項６】
前記アンプ又は前記アンプ内蔵式の左右のスピーカに電力を供給する電源が備わっており、前記電源は、前記カバー本体に収容される使い捨て又は繰り返し充電可能な電池、前記携帯電子機器の電源部、若しくは外部電源であることを特徴とする請求項５に記載の携帯電子機器用保護カバー。
【請求項７】
前記携帯電子機器はスピーカを駆動可能な前記ステレオ音声信号を出力する出力ジャックを備えており、前記カバー本体は前記携帯電子機器の前記出力ジャックに差込み接続可能な入力プラグを備えており、前記入力プラグはアンプ非内蔵式の前記左右のスピーカに有線にて接続されていて、接続状態の前記入力プラグから前記ステレオ音声信号が前記左右のスピーカに直接に入力されることを特徴とする請求項１〜４のいずれか一項に記載の携帯電子機器用保護カバー。
【請求項８】
前記携帯電子機器の内部に設けられていて前記携帯電子機器から入力される前記ステレオ音声信号を送信する送信部と、前記カバー本体内に設けられていて受信した当該ステレオ音声信号を前記左右のスピーカに出力する受信部とを有しており、前記送信部と前記受信部との間で信号がブルートゥース等の通信規格によって無線通信されることを特徴とする請求項１〜４のいずれか一項に記載の携帯電子機器用保護カバー。
【発明の詳細な説明】
【技術分野】
【０００１】
この発明は、携帯電子機器を収納すると共にその周囲を覆うことが可能な保護カバーであって、カバーの内部にスピーカを内蔵しており、当該携帯電子機器が出力するオーディオ信号の入力を受けて、当該内蔵のスピーカがオーディオ出力することを可能にする携帯電子機器用保護カバーに関する。
【背景技術】
【０００２】
近年、携帯電話、スマートフォン（多機能携帯電話）、タブレット端末等のように、通信や情報の分野においては、携帯しながら使用される携帯通信端末や携帯情報端末、或いはその両方の機能を有する携帯通信・情報端末が、その便利性のために非常に多用されるようになってきている。この種の携帯電子機器に用いられるカバーとしては、外観の見栄えやデザイン性を高めた装飾目的のカバーや、落下や衝突のような物理的な衝撃から端末機器を保護するための保護カバー、或いは携帯性を高めるための携帯補助用カバーなど、種々のタイプのカバーが提案されている。
【０００３】
この種の電子端末機器は、それ自体が、例えば電話やメールの着信時に発する着信音や端末機器の操作時の操作音を発するためにスピーカを備えている。そうしたスピーカとしては、殆どの場合、製造コストを低減させるためにモノラルスピーカが採用されており、またそのスピーカの音質も、音として認識できればよいという程度のものであって、充分な高音質のものでない。
【０００４】
電子端末機器の本体内に二つのスピーカを備え、それぞれ右側オーディオ信号と左側オーディオ信号を受けてステレオ音声を出力可能に構成したとしても、二つのスピーカ間の距離は電子端末機器の本体の幅よりも短くなり、良好なステレオオーディオ出力環境を提供するものまでにはならない。そこで、折り畳み式の携帯電話においては、左右に発する音をステレオとするものが提案されている（特許文献４参照）。左右のスピーカ間の距離を確保するために、スピーカを携帯電話の本体の左右両側から更に外側に開くように構成するなどの工夫が施されているが、携帯電話の本体から飛び出した状態となるスピーカの保護対策が必要になり、構造が複雑になる割に得られるステレオ効果には限界がある。
【０００５】
モバイル電子機器の音声信号を、モバイル電子機器を収容する保護カバーに設けられるスピーカに伝達して音を出すものが提案されている（特許文献１、特許文献２）。特許文献１に開示の保護カバーは、スマートフォンやタブレットのようなモバイル電子機器を収容する角バット状のケースともいうべきものであって、本体と信号接続部とを備えている。信号接続部は、本体に収容されるモバイル電子機器の信号伝送部と着脱されて本体に設けられる拡張接続部との間を接続し、拡張接続部は保護カバーにおいて機能拡張のための拡張モジュールに接続されている。拡張モジュールの一例として、スピーカが挙げられている。したがって、モバイル電子機器の信号伝送部からの音声信号が、保護カバーにおいて信号接続部を介して拡張モジュールであるスピーカに送られて、スピーカから音声を聴くことを可能にしている。
【０００６】
特許文献２に開示の保護ケースは、シャッター構造と組み合わされてもいるが、やはり角バット状の形状を有しており、ケースシェル、シャッターボタン、オーディオプラグ及びトリガ回路を含み、スマートフォン（携帯電話、ＧＰＳナビゲータ等も可能）のようなポータブル電子機器を中に取り付けることを可能にしている。ポータブル電子機器を保護ケースに取り付けるとき、オーディオプラグはポータブル電子機器のオーディオジャック（いずれもステレオ式）と接続する。トリガ回路は音響モジュールを含み、音響モジュールは更にジャックとプラグを介して受信したオーディオ信号が送られるステレオ用の左右スピーカを含み、スピーカは通話又は音楽を出力可能である。また、保護ケースは、使い捨てのアルカリ電池や充電電池の電源モジュールも含むことができる、とされている。
【０００７】
各種のスマートフォンに使用可能であって、スマートフォンを容易に上下方向にスライドさせ、カメラ操作することを可能にすることを図ったスマートフォンカバーが提案されている（特許文献５）。このスマートフォンカバーは、スマートフォン本体全体を被覆する２つ折り形状のカバー本体と、弾性体を介して横方向にスライド自在とした固定部と、固定部の両側縁に形成した鍔部と、カバーの内側面に形成したレール部とを備えている。スマートフォン本体を固定部と共に、カバー側のレール部に沿わせて上方向にスライドさせることで、例えば、カメラ部をカバー本体より上方に突出させた状態として、スマートフォン本体のカメラ機能を使用することを可能にすることを図っている。
【先行技術文献】
【特許文献】
【０００８】
【特許文献１】特開２０１３−２４００３４号公報
【特許文献２】実用新案登録第３１８７３４１号公報
【特許文献３】実用新案登録第３１９０８７７号公報
【特許文献４】特開２００６−２５４３４８号公報
【特許文献５】特開２０１５−４６７１２号公報
【０００９】
しかしながら、従来のスピーカ付きの携帯電子機器用カバーは、浅い角バット状のケースにスピーカが適用されたものであって、近年、携帯電子機器の表面を覆う表カバー部と裏面を覆う裏カバー部を有し、両カバー部を側面カバー部で接続した形式の保護カバーが数多く利用されつつある。こうした中で、保護カバーにおける携帯電子機器の配置や姿勢を使用勝手の良いものとしつつ、携帯電子機器から出力されるステレオ音声信号に基づいて、内蔵する左右スピーカから可及的に良好なステレオ音声を出力可能にする携帯電子機器用保護カバーは未だ提案されていない。
【発明の概要】
【発明が解決しようとする課題】
【００１０】
そこで、携帯電話、スナートフォン、タブレット端末等の携帯電子機器の表面を覆う表カバー部と裏面を覆う裏カバー部を有し、両カバー部を側面カバー部で接続した構造を備えていて、収容した携帯電子機器を保護する保護カバーにおいて、当該保護カバーでの携帯電子機器の配置や姿勢を使用勝手の良いものとしつつ、携帯電子機器からのステレオ音声信号に基づいてステレオ音声を出力する左右スピーカを、可及的に離間させた状態に配設して、良好なステレオオーディオ出力環境を得る点で解決すべき課題がある。          
【００１１】
この発明の目的は、上記課題を解決することであり、保護カバーにおける携帯電子機器の配置や姿勢を使用勝手の良いものとしつつ、携帯電子機器からのステレオ音声信号に基づいてステレオ音声を出力する左右スピーカを、可及的に離間させた状態に配設して、良好なステレオオーディオ出力環境を提供することができる携帯電子機器用保護カバーを提供することである。
【課題を解決するための手段】
【００１２】
上記の課題を解決するため、この発明による携帯電子機器用保護カバーは、携帯電子機器の表面を覆うことができる表カバー部、前記携帯電子機器の裏面を覆うことができ且つ使用状態にあるときの前記携帯電子機器を支える裏カバー部、及び前記表カバー部と前記裏カバー部とを接続する側面カバー部を備えるカバー本体を備えており、前記カバー本体は、前記表カバー部が前記裏カバー部の両側からそれぞれ前記側面カバー部によって接続されていて且つ閉じている状態では合わせ部分が互いに重なる左表カバー部と右表カバー部とを備えている観音開き式のカバー体であり、前記カバー本体には、前記携帯電子機器のステレオ音声信号の出力に基づいてステレオ音声を出力する左右のスピーカが、前記左表カバー部と前記右表カバー部とに分かれて配置されていて、前記表カバー部を開いた際に左右に離れて表に現れる態様で配設されており、前記携帯電子機器は、前記裏カバー部に対して、前記裏カバー部との平行を維持した状態で回動可能とされており、前記左右のスピーカは、９０度回動して横置き状態とされた前記携帯電子機器が当該左右のスピーカを覆うことがないように、前記左表カバー部と前記右表カバー部の上側又は下側に寄せて配置されていることを特徴としている。
【００１３】
この携帯電子機器用保護カバーによれば、カバー本体の表カバー部を開いたときには、左表カバー部と右表カバー部はそれぞれ正面左側と正面左側に観音開き状に開かれる。左表カバー部と右表カバー部に設けられている左右のスピーカは携帯電子機器の左右外側に離れて位置して表に現れる。通常は縦置き状態にある携帯電子機器を裏カバー部との平行を維持した状態で９０度回動させると、携帯電子機器は横置き状態となる。左右のスピーカを左表カバー部と右表カバー部の上側又は下側に寄せて配置していることで、横置きされた携帯電子機器が左右のスピーカの放音部を覆うことがなく、高いステレオ効果を維持することができる。携帯電子機器等の音声を聴くときには、携帯電子機器等のステレオ音声出力に基づいて携帯電子機器によって覆われることなく表に左右に離れて現れている左右のスピーカから出力されるステレオ音声を聴くことができる。携帯電子機器がディスプレイ部を備えていれば、ディスプレイ部に表示される横長の映像と併せてステレオ音声を聴くことができる。
携帯電子機器の回転中心は、裏カバー部の中心に合わせてもよく、また、裏カバー部の中心ではなくても、回転して横置き状態となった携帯電子機器が観音開き状に開いたカバー本体の表面内に含まれることになる位置に置かれてよい。いずれの場合も、９０度回転されて横置き状態にある携帯電子機器が左右のスピーカを覆うことがないように、回転中心が設定される。
【００１４】
削除
【００１５】
削除
【００１６】
削除
【００１７】
この発明による携帯電子機器用保護カバーは、携帯電子機器の表面を覆うことができる表カバー部、前記携帯電子機器の裏面を覆うことができ且つ使用状態にあるときの前記携帯電子機器を支える裏カバー部、及び前記表カバー部と前記裏カバー部とを接続する側面カバー部を備えるカバー本体を備えており、前記カバー本体は、一つの前記表カバー部が一つの前記裏カバー部の一方の側から前記側面カバー部によって接続されてなるブックカバー式のカバー体であり、前記カバー本体には、前記携帯電子機器のステレオ音声信号の出力に基づいてステレオ音声を出力する左右のスピーカが、前記表カバー部と前記裏カバー部とに分かれて配置されていて、前記表カバー部を開いた際に左右に離れて位置する態様で配設されており、前記携帯電子機器は縦置きされる状態で前記裏カバー部に対して横方向にスライド可能に置かれており、前記左右のスピーカは、横方向にスライドされた前記携帯電子機器が当該左右のスピーカを覆うことがないように、前記表カバー部と前記裏カバー部の外側に寄せられた状態で分かれて配置されていることを特徴としている。
この携帯電子機器用保護カバーによれば、ブックカバー式のカバー体を開いた状態において、縦置きされている携帯電子機器を裏カバー部に対して横方向にスライドさせると、携帯電子機器は開いたカバー体の中央寄りに移動する。左右のスピーカは、表カバー部と裏カバー部の外側に寄せられた状態で分かれて配置されているので、スピーカの放音部は中央寄りに移動された携帯電子機器によって覆われることがなく、高いステレオ効果を得ることができる。
【００１８】
この発明による携帯電子機器用保護カバーは、携帯電子機器の表面を覆うことができる表カバー部、前記携帯電子機器の裏面を覆うことができ且つ使用状態にあるときの前記携帯電子機器を支える裏カバー部、及び前記表カバー部と前記裏カバー部とを接続する側面カバー部を備えるカバー本体を備えており、前記カバー本体は、一つの前記表カバー部が一つの前記裏カバー部の一方の側から前記側面カバー部によって接続されてなるブックカバー式のカバー体であり、前記カバー本体には、前記携帯電子機器のステレオ音声信号の出力に基づいてステレオ音声を出力する左右のスピーカが、前記表カバー部と前記裏カバー部とに分かれて配置されていて、前記表カバー部を開いた際に左右に離れて位置する態様で配設されており、前記携帯電子機器は、前記裏カバー部に対して、前記裏カバー部との平行を維持した状態で回動可能とされており、前記左右のスピーカは、９０度回動して横置き状態とされた前記携帯電子機器が当該左右のスピーカを覆うことがないように、前記表カバー部と前記裏カバー部の外側に寄せられた状態で分かれて配置されていることを特徴としている。
この携帯電子機器用保護カバーによれば、ブックカバー式のカバー体を開いた状態において、携帯電子機器を裏カバー部に対して、裏カバー部との平行を維持した状態で回動させると、携帯電子機器は開いたカバー本体内で横置き状態となる。左右のスピーカは、表カバー部と裏カバー部の外側に寄せられた状態で分かれて配置されているので、スピーカの放音部は横置きされた携帯電子機器によって覆われることがなく、高いステレオ効果を得ることができる。
【００１９】
削除
【００２０】
この携帯電子機器用保護カバーにおいて、前記携帯電子機器はカメラ機能を備えており、前記表カバー部を開いた状態で前記カメラ機能を使用するため、縦置き状態にある前記携帯電子機器を前記裏カバー部に対して回転させて横置き状態にする回転機構に対しては当該横置きされた携帯電子機器を横方向にスライドさせるスライド機構を、又は前記携帯電子機器を前記裏カバー部に対してスライドさせるスライド機構に対してはそのスライド方向と交差する方向にスライドさせる別のスライド機構を組み合わせることができる。
回転機構に対するスライド機構の組合せ、又はスライド機構に対する別のスライド機構の組合せにより、携帯電子機器に備わるカメラレンズをカバー本体の外方に突出させることができ、カバー本体に遮られることなくカメラ機能を使用することができる。
【００２１】
この携帯電子機器用保護カバーにおいて、前記携帯電子機器は前記ステレオ音声信号を出力するイヤフォン出力ジャックを備えており、前記カバー本体は前記携帯電子機器の前記イヤフォン出力ジャックに差込み接続可能なイヤフォン入力プラグを備えており、前記イヤフォン入力プラグは、接続状態で入力される前記ステレオ音声信号を増幅可能なアンプ内蔵式の前記左右のスピーカに、又は接続状態で入力される前記ステレオ音声信号を増幅するアンプを介してアンプ非内蔵式の前記左右のスピーカに有線にて接続されているとすることができる。
また、前記アンプ又は前記アンプ内蔵式の左右のスピーカに電力を供給する電源が備わっており、前記電源は、前記カバー本体に収容される使い捨て又は繰り返し充電可能な電池、前記携帯電子機器の電源部、若しくは外部電源であるとすることができる。
この携帯電子機器用保護カバーによれば、携帯電子機器が備えるイヤフォン出力ジャックはその出力信号が微弱すぎるので、イヤフォン入力プラグから入力を受けてもスピーカから音を出すには至らない。左右のスピーカをアンプ内蔵式のスピーカとすることで、微弱なステレオ音声信号をスピーカにて増幅して音を出すことができる。専用のアンプを別に設ける場合には、微弱なステレオ音声信号をアンプにて増幅して、その増幅したステレオ音声信号でスピーカを駆動することができる。
スピーカがアンプ内蔵式か否かのいずれであって、アンプには電力が必要なので、電池や、携帯電子機器の電源部、又は外部電源から電力を供給する必要がある。
【００２２】
この携帯電子機器用保護カバーにおいて、前記携帯電子機器はスピーカを駆動可能な前記ステレオ音声信号を出力する出力ジャックを備えており、前記カバー本体は前記携帯電子機器の前記出力ジャックに差込み接続可能な入力プラグを備えており、前記入力プラグはアンプ非内蔵式の前記左右のスピーカに有線にて接続されていて、接続状態の前記入力プラグから前記ステレオ音声信号が前記左右のスピーカに直接に入力されるとすることができる。
この携帯電子機器用保護カバーによれば、携帯電子機器の出力ジャックから出力するステレオ音声信号はスピーカを駆動可能であるので、出力ジャックに差込み接続した入力プラグから接続されるアンプ非内蔵式の左右のスピーカに、スピーカ駆動に充分なステレオ音声信号を送ることができる。
【００２３】
この携帯電子機器用保護カバーにおいて、前記携帯電子機器の内部に設けられていて前記携帯電子機器から入力される前記ステレオ音声信号を送信する送信部と、前記カバー本体内に設けられていて受信した当該ステレオ音声信号を前記左右のスピーカに出力する受信部とを有しており、前記送信部と前記受信部との間で信号がブルートゥース等の通信規格によって無線通信されるとすることができる。
この携帯電子機器用保護カバーによれば、携帯電子機器から左右のスピーカに無線にてステレオ音声信号を送信することができ、入力プラグを設ける必要がない。なお、ブルートゥース等の通信規格による無線通信をするには、左右のスピーカを駆動することも併せて、電源が必要となる。
【発明の効果】
【００２４】
この発明による携帯電子機器用保護カバーは、携帯電話、スナートフォン、タブレット端末等の携帯電子機器の表面を覆う表カバー部と裏面を覆う裏カバー部を有し、両カバー部を側面カバー部で接続した形式の保護カバーの構成の中で、上記のように、回動移動やスライド移動させて携帯電子機器の保護カバーにおける配置や姿勢を使用勝手の良いものとしつつ、ステレオ音声を出力する左右スピーカを移動された携帯電子機器に覆われることなく且つ可及的に左右に離間させた状態に配置させることができ、携帯電子機器からのステレオ音声信号に基づいて良好なステレオオーディオ出力環境を得ることができる。また、携帯電子機器の縦置き又は横置きの姿勢に応じて、ディスプレイに表示される映像に併せてステレオ音声を聴くこともできる。
【図面の簡単な説明】
【００２５】
【図１】図１は携帯電子機器用保護カバーの第１参考例を示す図である。
【図２】図２はこの発明による携帯電子機器用保護カバーの第１実施例を示す図である。
【図３】図３は、図２に示す携帯電子機器用保護カバーの回動位置決め構造の例を示す図である。
【図４】図４は携帯電子機器用保護カバーの第２参考例を示す図である。
【図５】図５はこの発明による携帯電子機器用保護カバーの第２実施例を示す図である。
【図６】図６は携帯電子機器用保護カバーの第３参考例を示す図である。
【図７】図７はこの発明による携帯電子機器用保護カバーの第３実施例を示す図である。
【図８】図８は携帯電子機器用保護カバーの無線通信によるオーディオ信号の送受信を行う例を示す概略図である。
【発明を実施するための形態】
【００２６】
以下、添付した図面に基づいて、この発明による携帯電子機器用保護カバーの実施例を説明する。図１は、携帯電子機器用保護カバーの第１参考例を示す図である。図１（ａ）は携帯電子機器用保護カバーを使用するときの展開状態を示す斜視図、同（ｂ）は同（ａ）に示す携帯電子機器用保護カバーの閉じた状態を示す正面図、同（ｃ）は同じく閉じた状態の底面図である。
【００２７】
図１に示す携帯電子機器用保護カバー１は、基本的には、スマートフォンやタブレット端末のような携帯通信・情報端末（以下、代表して「スマートフォン」と略す）Ｐを収納してスマートフォンＰの持ち運びの利便性を高めるとともに、スマートフォンＰが外部に対して直接的な接触や衝撃が無いように覆うことで保護し、スマートフォンＰの本体内部の損傷や故障、或いは本体表面やタッチパネル（ディスプレイパネル）ＴＰの表面が傷つくのを防止する保護機能を有するカバーである。この実施例に示す携帯電子機器用保護カバー１は、スマートフォンＰを直接に収納する収納ケース２共々、収納して周囲を覆うカバー本体３を備えている。スマートフォンＰには、ステレオで音声（オーディオ）信号を出力するイヤフォン出力ジャックＪと、音声信号を出力する内蔵スピーカＳ，Ｓとが備わっている。
【００２８】
収納ケース２は、市販のものでよく、ユーザによっては、それ自体がスマートフォンＰを覆って用いることを可能にするケースである。収納ケース２は、スマートフォンＰの背面を覆う背板部４と、当該背板部４と一体的に成形されていてスマートフォンＰの周囲側面を覆う側壁部５とを備えていて、正面はスマートフォンＰのタッチパネルＴＰを指で操作できるように開いている、全体としてスマートフォンＰの外形形状にフィットする角バット状のケースである。収納ケース２は、例えば薄肉のシリコンゴム製又は樹脂製であって、その素材の特性として弾性があり且つ変形し易いので、スマートフォンＰに対して装着をし易くするとともに、それ自体がスマートフォンＰへの衝撃を緩和する保護機能も備えている。ただし、スマートフォンＰが収納ケース２から容易に抜け出さないように、収納ケース２の側壁部５の開口縁が内側に若干変形され且つ強化されている。
【００２９】
収納ケース２の背板部４と側壁部５には、スマートフォンＰに設けられる電源端子等の各種の入出力端子や操作ボタン、カメラレンズ等の部品に対応して、適宜の大きさ及び形状の孔６が形成されている。収納ケース２には、イヤフォン出力ジャックＪに対して孔７が、またスピーカＳ，Ｓに対応して孔８，８が形成されている。
【００３０】
本携帯電子機器用保護カバー１においては、収納ケース２の代わりに、特殊な粘着シートを装備した薄板状の収納板を用いてもよい。収納板をスマートフォンＰの背面部分に付着させることで、スマートフォンＰを収納ケース２のように確実に固定することができる。このような収納板は、スマートフォンＰを固定するためにその側面を覆う側壁部を備えておらず、それ故、収納ケース２のようにスマートフォンＰに設けられる各種の入出力端子や操作ボタン、カメラレンズ等の部品に対応した孔を形成する必要がないので、スマートフォンＰの仕様に捕らわれずに用いることができる。
【００３１】
カバー本体３は、中央の裏カバー部１０と、裏カバー部１０の左右両側にそれぞれ側面カバー部１３，１３を介して一体的に接続された左表カバー部１１及び右表カバー部１２とを備えており、左右の表カバー部１２，１３がそれぞれ開閉される観音開き式のカバーである。カバー本体３は、本革（レザー）とする他、軽量で製造コストを低廉にするため、全体としては樹脂製とすることが好ましい。樹脂成形とすることで、裏カバー部１０と左表カバー部１１及び右表カバー部１２との一体成形も容易である。カバー本体３の外側面については、外観の見栄えやデザイン・嗜好に答えるため、軽量なアルミニウム等の金属薄板や布製、各種素材の積層構造とすることもできる。
【００３２】
中央の裏カバー部１０の下側の両隅においては、それぞれ、当該本体１０から一体的に起立した状態の係合爪１９が形成されている。係合爪１９の高さはスマートフォンＰの高さに対応しており、係合爪１９の内面は、収納ケース２の側壁部５の角部外面に対応した湾曲面形状とされている。スマートフォンＰを収容した収納ケース２を係合爪１９に係止させることで、スマートフォンＰを収納ケース２共々、裏カバー部１０にがたつき無く装着することを可能にしている。
【００３３】
左表カバー部１１と右表カバー部１２は、同じ幅寸法を有しているが、図１（ａ）〜（ｃ）に示すように、閉じた状態では、閉じ合わせ部分で互いに重なるような寸法に形成されている。即ち、左表カバー部１１と右表カバー部１２は、それぞれ裏カバー部１０の幅の半分よりも若干広い幅寸法を有しており、図示の例では、左表カバー部１１の閉じ合わされる側端部分１４は表側が厚みｔの半分の高さの段部に形成されており、右表カバー部１２の閉じ合わされる側端部分１５は裏側が厚みｔの半分の高さの段部に形成されている。左表カバー部１１と右表カバー部１２を閉じたときには、側端部分１４，１５の両段部同士を重ね合わせることができ、このとき、重ね合わせ部分では表カバー部１２，１３の他の部分と比べて厚みを増すことがないので、カバー本体３の表カバー部１２，１３の表面は面一となり、嵩張り感を出すことがない。
【００３４】
左表カバー部１１と右表カバー部１２の側端部分１４，１５には、適宜の箇所、例えば上下の２カ所に、異なる磁極同士が相対向する態様でマグネット１６，１７が設けられている。左表カバー部１１と右表カバー部１２を閉じたときに、マグネット１６，１７が互いに吸着することで、両表カバー部が不意に開くことが防止される。また、重なりの下側となる左表カバー部１１の側端部分１４又は重なりの上側となる右表カバー部１２の側端部分１５において、その縦方向（上下方向）の中間位置部分には、窪み１８が形成されている。窪み１８に指先を掛け易くなり、窪み１８にマグネット１６，１７の吸着力を上回る力を掛けることで、表カバー部１２，１３の開閉が容易になる。
【００３５】
カバー本体３、好ましくは左表カバー部１１には、電源２０が内部に収容される態様で設けられている。電源２０は、通常は、使い捨て電池又は薄板（スティック）状のニッケル・水素電池のような繰り返し充電可能な電池とするのが好ましい。図示の例では、左表カバー部１１の表面一部を起こすことで、内部に収容される電源２０の外部への取出し及び外部からの装填が可能に設けられているが、電源２０の収容態様はこれに限られず、裏カバー部１０や左表カバー部１１及び右表カバー部１２の上下端面から取出し及び装填可能にしてもよい。スマートフォンＰに充分な蓄電量があれば、適宜のジャック・プラグを介して、スマートフォンＰの電源部からの電力供給を受けてそれを電源とすることもできる。電源２０の近傍には、電源２０のオン・オフ用にスイッチ２７が配設される。
【００３６】
左表カバー部１１及び右表カバー部１２には、ステレオ音声信号による音声出力を聴くことができるように片側に一つずつ、即ち、左スピーカ２１と右スピーカ２２が設けられている。二つのスピーカ２１，２２を設ける場合には、その設置位置を左表カバー部１１及び右表カバー部１２の下端寄りとして重心を低くすることで、スピーカ２１，２２の重さを安定して支えることができるが、中程の高さや上端寄り等、他の部品配置と干渉しない限り、他の高さ配置でも構わない。スピーカ２１，２２の発音部分である振動板は、開いた左表カバー部１１及び右表カバー部１２の内面表面に現れる態様で設けられている。スピーカ２１，２２は、左表カバー部１１と右表カバー部１２に置かれていることから、開いたカバー本体３において横方向に可能な限り離れて配置されることになり、可及的に高いステレオ効果が期待できる。この実施例では、左右に一つずつのスピーカ２１，２２を備える例を示したが、電源やスペースに余裕がある場合には、左表カバー部１１及び右表カバー部１２の上端寄りにもスピーカを増設して、左右に二つずつのスピーカを配置してもよい。
【００３７】
スピーカ２１，２２は、スマートフォンＰのサイズから見て、動電型、圧電型のいずれであっても、小型で且つ厚みが可及的に薄くなっているものが採用される。電源２０は、電源２０から延びる電源コード２３によってスピーカ２１，２２に接続されていて、スピーカ２１，２２に電力を供給する。スピーカ２１，２２は、後述するようにスマートフォンＰのイヤフォン出力からの音声信号を用いるので、アンプ内蔵型のアクティブスピーカとするのが好ましい。内蔵アンプは、電源２０からの電力によって、イヤフォン出力からの微弱な音声信号を増幅してスピーカ２１，２２を駆動する。なお、スピーカ２１，２２は、コストに見合えば、所謂、平面スピーカであってもよい。また、両スピーカは、アンプ非内蔵型のスピーカとし、別途、ステレオ音声信号増幅用に設けられるアンプからの出力信号を受けて駆動されるパッシブスピーカとしてもよい。
【００３８】
左表カバー部１１には、スマートフォンＰのイヤフォン出力ジャックＪに差し込まれるプラグ２４と、プラグ２４に繋げられたコード（配線）２５が設けられている。イヤフォン出力ジャックＪ、プラグ２４及びコード２５はいずれもステレオ仕様のものである。左表カバー部１１の内面側にはプラグ２４の形状に概略合わせて且つプラグ２４が完全に入り込むことができる凹部２６が形成されている。スピーカ２０からの音声出力を聴かない場合には、プラグ２４を凹部２６に完全に押し込むことで凹部２６内に摩擦保持されるとともに、左表カバー部１１を閉じたときに、プラグ２４がスマートフォンＰのタッチパネルＴＰに強く当たることがない。コード２５は、プラグ２４から凹部２６に開口する穴を通して左表カバー部１１の内部に延びていて、その一方の先端は左表カバー部１１内のスピーカ２１に、また他方の先端は左表カバー部１１の内部から裏カバー部１０を通って右表カバー部１２内に延びてスピーカ２２に接続されている。このような構造によって、イヤフォン出力ジャックＪからのスマートフォンＰのステレオ音声信号は、イヤフォン出力ジャックＪに差し込まれたプラグ２４、コード２５を経て、左右別々にピーカ２１，２２に送られる。
【００３９】
プラグ２４の収納として左表カバー部１１の内面に形成される凹部２６の例を示したが、これに代えて、左（右）表カバー部１１（１２）の上側端面からその内部へ、又は裏カバー部１０の上側端面からその内部へと、コード２５と共にプラグ２４を収納するように設けてもよい。この場合、コード２５を収納する場合には、左（右）表カバー部１１（１２）の内部又は裏カバー部１０の内部に巻取り回収し、プラグ２４は左（右）表カバー部１１（１２）の上側端面又は裏カバー部１０の上側端面内に、ユーザの指で取出し可能に収めるのが好ましい。コード２５は、カバー本体３の内部で適宜に分岐されて、それぞれスピーカ２１，２２に接続される。プラグ２４及びプラグ２４に繋げられたコード（配線）２５のカバー本体３からの引き出しについては、中央の裏カバー部１０と左（右）表カバー部１１（１２）を接合する側面カバー部１３の上部に開けられた穴から行うこととし、更に外部音源との接続等用として小物アクセサリーやＵＳＢ等を接続可能な構造にしてもよい。この場合、プラグ２４に小物アクセサリーやＵＳＢ等を接続し易くするため、プラグ２４の形状の一部をリング状又はその他接続可能な形状とする。
【００４０】
携帯電子機器用保護カバー１は、単に平置きしてもよいが、後述するようにスピーカ２１，２２からのステレオ音声を楽しむには、スピーカ２１，２２の向きを考慮して、例えば、カバー本体３をその背面側で物品に凭れるように置く、又は適宜の支え棒や支え板のような支持構造によって、図１（ａ）に示すように机上や棚上で立て掛けられた状態で使用するのが好ましい。スマートフォンＰのステレオ音声をスピーカ２１，２２で聴く場合、カバー本体３の左右の表カバー部１１，１２を左右に開いた状態とし、カバー本体３に収納されているプラグ２４を取り出してスマートフォンＰのイヤフォン出力ジャックＪに差し込む。カバー本体３に設けられている電源２０用のスイッチ２７を入れることで、電源２０のパワーがアンプ内蔵型のスピーカ２１，２２に供給され、プラグ２４からコード２５を経て送られる音声信号は電源２０からのパワーで増幅されてスピーカ２１，２２を駆動する。スピーカ２１，２２は、左右にそれぞれ開いた左右の表カバー部１１，１２において可及的に離れた位置を占めているので、ユーザはスピーカ２１，２２によって高いステレオ効果で音声を聴くことができる。
【００４１】
携帯電子機器用保護カバー１は、スマートフォンＰに備わっているカメラ撮影機能を損なわないように、スマートフォンＰを収納ケース２ごと、裏カバー部１０に対して上下方向にスライド可能にするスライド機構３０を備えている。収納ケース２は、スライド機構３０を介して裏カバー部１０に取り付けられているが、スライド機構３０の構造例については後述の実施例において説明する。スマートフォンＰを収納ケース２ごと、スライド機構３０によって保護カバー１に対して上方にスライドさせることで、スマートフォンＰに備わるカメラレンズＣＬを裏カバー部１０の上端よりも上方に突出させることができる。上方への素早いスライドを可能にするため、裏カバー部１０には、スマートフォンＰの上隅用の係合爪１９は設けられていない。スピーカ２１，２２からの音声出力を聴いている時にシャッターチャンスが訪れた場合には、スピーカ２１，２２の出力を切ることなくスマートフォンＰをスライドさせることで直ちに撮影モードに入ることができ、瞬間的なシャッターチャンスであってもそれを逃すことがない。
【００４２】
スマートフォンＰとスピーカ２１，２２とをブルートゥースのような無線通信規格に従って無線接続することも可能である。保護カバーにおいて、無線通信によるオーディオ信号の送受信を行うようにした例が図８に概略図示されている。図８に示す保護カバー１ａにおいては、基本的な概略構成は図１に示す保護カバー１の構成と同等であるので、共通する構成要素には同じ符号を付すことで再度の説明を省略する。スマートフォンＰの内部にはブルートゥース無線規格の送信部２８が設けられており、カバー本体３の内部にはブルートゥース無線規格の受信部２９が設けられている。受信部２９で受信したステレオ音声信号はスピーカ２１，２２のアンプに入力される。スピーカ２１，２２にパワーを供給する電源２０は、電源コード２３を通してブルートゥース信号の受信部２９にパワーを供給する電源としても利用される。
【００４３】
第１参考例は、携帯電子機器用保護カバー１として、収納ケース２を用いた例として示したが、収納ケース２を用いないでスマートフォンＰをカバー本体３に対して、例えば上記した粘着シートを装備した薄板状の収納板を用いることで、直接に収納させてもよい。収納ケース２には若干の厚みがあるので、収納ケース２を用いずに粘着シートの収納板を用いる場合には、裏カバー部１０の隅部に一体的に形成される係合爪１９の形成位置はスマートフォンＰの仕様に合わせることだけで済み、カバー本体３の基本的な構造に変更はなく収納ケース２の仕様に依らない統一規格化が図られる。
【００４４】
この発明による携帯電子機器用保護カバーの実施例（第１実施例）を説明する。図２はこの発明による携帯電子機器用保護カバーの第１実施例を示す図であり、携帯電子機器用保護カバーを使用するときの展開状態を示す正面図である。図３は、図２に示す携帯電子機器用保護カバーに備わる回転機構の例を示す図であり、図３（ａ）はその一例の側面断面図、図３（ｂ）は同（ａ）の一部を拡大して示す斜視図である。また、図３（ｃ）は回転機構の別の例を示す図であり、図３（ｄ）はその一部を拡大して示す図である。なお、図３においては、図示の都合上、横方向に対して厚み方向を拡大して示している。
【００４５】
第１実施例は、スマートフォンＰを横置きにすることができる構造にした保護カバーの実施例である。スマートフォンＰは、通常は縦置きで使用されるが、タッチパネルＴＰをディスプレイとして使用するような場合には、ディスプレイ画面が横長となるように姿勢を変更して使用されることも多い。このような場合、図２に示すように、スマートフォンＰをカバー本体３３に対して９０度回転して横置きすることを可能にするとともに、回転した状態でその横置きの姿勢を保持することが好ましい。
【００４６】
図２に示す携帯電子機器用保護カバー３１は、スマートフォンＰを直接に収容する収納ケース３２と、収納ケース３２が取り付けられるカバー本体３３とを備えている。カバー本体３３の構成である裏カバー部１０、左表カバー部１１及び右表カバー部１２、側面カバー部１３，１３，電源２０、スピーカ２１，２２等については、基本的には図１に示した第１参考例のカバー本体３と同様であるので、こうした同じ構成要素については同じ符号を付すことでここでの重複する説明を省略する。プラグ２４のコード２５は、回転したスマートフォンＰのイヤフォン出力ジャックＪに差し込むことができるように、カバー本体３３内から充分な長さを引き出し可能である。
【００４７】
図２に示す携帯電子機器用保護カバー３１は、スマートフォンＰを収納ケース３２共々、カバー本体３３に対して９０度回転するとともに、回転した所定の位置で位置決めされその横置きの姿勢を保持する回転機構３４を備えている。図３（ａ）及び（ｂ）に示すように、一例として示す回転機構３４は、収納ケース３２の底面中央位置に立設して固定された回動軸３５と、回動軸３５の上端に対して回転自在に設けられた回転円盤５０の底面において回動軸３５の軸線回りの同心円上に９０度毎に離間して部分球面状に形成された雄構造となる突起３６と、カバー本体３３の裏カバー部１０の内面において、当該内面の中央位置で回動軸３５が挿通される軸孔３７の軸線回りの同心円上に９０度毎に離間して且つ突起３６に対応した部分球面状に形成された雌構造となる凹部３８と、裏カバー部１０の背面側に形成された窪み部３９に配設されており且つ軸孔３７を貫通した回動軸３５を突起３６と凹部３８が係合する方向に付勢する付勢構造４０を備えている。
【００４８】
回動軸３５は窪み３９内に延びており、付勢構造４０は、窪み３９内において回動軸３５を取り囲んで配置されたバネ、ゴム等の軸線方向に圧縮変形可能な弾性体４１と、回動軸３５の軸端に設けられていて弾性体４１と当接する端板４２とを備えている。弾性体４１の弾性復元力が端板４２に作用し、回動軸３５は、突起３６と凹部３８が係合する方向に付勢される。突起３６と凹部３８が係合する状態で端板４２は丁度、裏カバー部１０の外面と面一となるように窪み３９を覆う。
【００４９】
スマートフォンＰを収納ケース３２と共に回動軸３５の回りに回動させると、突起３６は凹部３８との部分球面状同士の面接触状態から外れ、付勢構造４０においては端板４２が弾性体４１を変形させつつ窪み部３９内に沈み、その沈み量に応じた距離だけ回動軸３５が軸方向に移動する。突起３６が凹部３８から完全に外に出ると、突起３６が裏カバー部１０の内面に接触しつつ滑り、９０度の角度で離れた隣の凹部３８に至る。弾性体４１の復元力が、端板４２、回動軸３５を経て収納ケース３２に作用しているので、突起３６は当該隣の凹部３８内に入り込んで、部分球面状同士の面接触状態となる。このように、回転機構３４によって、収納ケース３２はカバー本体３３に対して９０度毎のクリック機構として作動し、スマートフォンＰを、縦置き位置又は横置き位置に対して、クリック感を以て姿勢変更させることができる。
【００５０】
裏カバー部１０には、図２に示すように、横置き状態とされたスマートフォンＰが回動軸３５の回りにぐらつくことがないように、左右の係止突起４３，４３を設けることができる。係止突起４３，４３は、スマートフォンＰが縦置きされた状態では、その左右内面側においてスマートフォンＰを収容する収納ケース３２の側面に当接するように設けられている。スマートフォンＰが横置きされた状態では、係止突起４３，４３は、その上端端面において収納ケース３２の側面に当接する。このように、互いに横方向に離れた位置にある係止突起４３，４３は、中心位置に設けられる回転機構３４と協働して、横置き状態とされたスマートフォンＰの回動ぐらつきを効果的に防止する。
【００５１】
回転円盤５０とスマートフォンＰを収納する収納ケース３２との間には、スマートフォンＰと収納ケース３２を回転円盤５０に対してスライドさせるスライド機構５１が設けられている。スライド機構５１は、収納ケース３２の底面に固定された係止駒５２と、回転円盤５０の上面に直径方向に延びるように形成された係止溝５３を備えている。係止駒５２は、その姿勢を変えることなく、係止溝５３内をスライド可能である。回転円盤５０の回転位置に応じて、係止溝５３が延びる方向が、図２に示すように、縦方向と横方向のいずれかに変更され、スマートフォンＰがカバー本体３３に対してスライドする方向が変更される。スマートフォンＰを縦置き状態としていて係止溝５３が縦方向に延びている状態では、係止駒５２を係止溝５３に沿って移動させることでスマートフォンＰが縦にスライド可能であり、カメラレンズＣＬをカバー本体３３の上端から上方へ突出させることができる。スマートフォンＰを９０度回転させて横置き状態とした場合には、係止溝５３が横方向に延びており、スマートフォンＰを横置き状態としたまま、係止駒５２を係止溝５３に沿って移動させることで、想像線で図示しているように左方へスライドさせて、カメラレンズＣＬをカバー本体３３の左表カバー部１１の更に左方へ突出させることができる。いずれの場合も、ステレオ音声を聴きながらシャッターチャンスを逃がすことなくカメラ撮影を行うことを可能にしている。なお、本例では、左右のスピーカ２１，２２をそれぞれ左表カバー部１１と右表カバー部１２の下側に寄せて配置しているが、プラグ２４の収容のための凹部２６やその配線２５等の配置を入れ替えることで、左表カバー部１１と右表カバー部１２の上側に寄せて配置することもできる。また、この例では、スマートフォンＰのバランスを考慮して、スマートフォンＰの回転中心を、スマートフォンＰ自体の平面中心とし且つ裏カバー部１０の平面中心に置いたが、これに限られない。
【００５２】
図３（ｃ）及び（ｄ）は、互いに切断面を配した断面図であるが、回転位置決め機構の別の例が示されている。図３（ｃ）及び（ｄ）に示す回転機構４４は、回動軸３５が軸方向に移動せず、回転位置のみを選択的に切り換えることができる機構である。回動軸３５には八角形のような角盤４５が固定されており、角盤４５の周囲には概略正方形に沿うように屈曲成形されたバネ板４６が取り付けられており、バネ板４６にはその正方形頂点の位置においてバネ変形し易い膨出部分４７が形成されている。裏カバー部１０には、軸孔３７に連なり且つ回動軸３５と同心状の穴４８が形成されており、角盤４５とバネ板４６が穴４８内に収容される。穴４８の内面には、回動軸線の回りにおいて９０度毎に窪み部４９が形成されている。スマートフォンＰを収納ケース３２ごと回動軸３５の回りに回動させることにより、バネ板４６の膨出部分４７が変形して孔４８の内面を滑りながら移動し、膨出部分４７が回動の９０度毎に隣の窪み部４９に入り込むので、スマートフォンＰを収納ケース３２ごと縦置き状態又は横置き状態に切り換え選択可能である。膨出部分４７が窪み部４９に入り込むことで、回動軸３５の位置決めが安定し、スマートフォンＰの横置き姿勢が安定する。なお、図３（ｃ）及び（ｄ）に示す回転機構４４においても、スライド機構を直列に組み合わせることができる。スライド機構については、（ａ）に示す構造と同様であってよいので、同じ符号を付すことで再度の説明を省略する。
【００５３】
第１実施例において、回動軸３５の収納ケース３２及び端板４２への固定は、接着又は超音波溶着、圧入等、適宜の手段を用いることができる。また、第１実施例においては、保護ケース３２がカバー本体３３から抜け出ることを心配する必要がなく、回動の位置決めだけの要請に応えればよいので、係合爪１９や係止突起４３，４３は基本的には不要である。収納ケース３２をカバー本体３３に向けて付勢する構造を採用している場合には、係合爪１９や係止突起４３，４３を設けるとしても、第１参考例の係合爪１９と比較して、それらの高さを低くすることができ、回転機構３４において回動させるために浮かせる高さ（突起３６の高さ、凹部３８の深さ、弾性体４１の高さ変形量）と同程度の高さとすることができる。
【００５４】
携帯電子機器用保護カバーの更に別の参考例（第２参考例）を説明する。図４は携帯電子機器用保護カバーの第２参考例を示す図であり、図４（ａ）は携帯電子機器用保護カバーを使用するときの展開状態を示す斜視図、同（ｂ）は同（ａ）に示す携帯電子機器用保護カバーの側面図である。
【００５５】
第２参考例は、携帯電子機器用保護カバー６１が、片側にのみ開くブックカバー形式のカバーである。携帯電子機器用保護カバー６１は、収納ケース６２と、スマートフォンＰを収納ケース６２と共に収納するカバー本体６３を備えている。収納ケース６２については、図１に示した第１参考例の収納ケース２と同様の構造であるので、再度の説明を省略する。カバー本体６３は、スマートフォンＰのタッチパネルＴＰ側を覆う表カバー部６４と、スマートフォンＰの背面側を覆う裏カバー部６５と、両カバー部６４，６５を接続する側面カバー部６６を備えている。なお、収納ケース６２に代えて、前記した粘着シートを備えた収納板を用いてもよい。
【００５６】
裏カバー部６５には、第１参考例における係合爪１９と同様の、スマートフォンＰを収容する収納ケース６２を保持する係合爪６９が形成されている。裏面ケース部６５には、また、スマートフォンＰのイヤフォン出力ジャックＪに差し込み可能なプラグ６７が引き出し及び収納可能に設けられており、プラグ６７にはカバー本体６３内に引き入れられているコード６８が接続している。イヤフォン出力ジャックＪとプラグ６７は共にステレオ仕様である。裏カバー部６５には、更に、その内側面の中央において、スマートフォンＰを裏面から支える硬質のスタンド片７０が起こすことができるように設けられている。
【００５７】
表カバー部６４には、長手方向の両端に寄せてアンプ内蔵式のスピーカ７１，７２が設けられている。スピーカ７１，７２は、カバー本体６３を開いたとき、放音部が表側に現れるように、表カバー部６４の内面側に配置されている。側面カバー部６６を支点として表カバー部６４を曲げ起こしたときに、裏カバー部６５のスタンド片７０と同様に、表カバー部６４の表側に当接してその姿勢を維持するための屈折式のスタンド片７３が設けられている。スマートフォンＰを裏カバー部６５において横置き状態に傾けて置いたとき、表カバー部６４に現れるスピーカ７１，７２は左右スピーカとなり、左右からステレオ音声を出力することができる。スピーカ７１，７２及びプラグ６７のコード６８を繋ぐ配線は、第１参考例と同じであるので、電源の図示を含めて、図示とその説明を省略する。スピーカ７１，７２については、想像線で外形を示すように、左右外側に向けて傾けて、広角に音を出すようにすることもできる。
【００５８】
スマートフォンＰを収納ケース６２共々、カバー本体６３の裏カバー部６５から取り出し、その一方の長手方向に沿う側縁部分において裏カバー部６５の係合爪６９，６９に係合させるように、裏カバー部６５に傾斜させて置く。裏カバー部６５の内面側において起こされたスタンド片７０をスマートフォンＰの裏面に当接させることで、スマートフォンＰは、裏カバー部６５に横置き状態で且つ傾斜させて置くことができる。プラグ６７をスマートフォンＰのイヤフォン出力ジャックＪに差し込むことで、スマートフォンＰのステレオ音声信号は、カバー本体６３内の配線を通して左右のスピーカ７１，７２に送られ、カバー本体６３の長手方向寸法に対応する距離だけ左右に離れたスピーカ７１，７２からステレオ音声を聴くことができる。
【００５９】
この発明による携帯電子機器用保護カバーの更に別の実施例（第２実施例）を説明する。図５はこの発明による携帯電子機器用保護カバーの第２実施例を示す図であり、図５（ａ）は携帯電子機器用保護カバーを使用するときの展開状態を示す正面図、図５（ｂ）は同（ａ）に示す携帯電子機器用保護カバーのスライド機構を示す図である。
【００６０】
図５に示す携帯電子機器用保護カバー８１において、カバー本体８３は、図４に示した第２参考例と同様、一つの表カバー部８４が一つの裏カバー部８５の一方の側から側面カバー部８６によって接続されてなるブックカバー式のカバー体である。スマートフォンＰは、スマートフォンＰを直接にフィットして収納する収納ケース８２又は前記した粘着シートを備える収納板共々、縦置きされる状態で、後述するスライド機構９３によって、裏カバー部８５に対して横方向にスライド可能に置かれている。なお、収納ケース８２は裏カバー部８５に対してスライド機構９３によって係合されていて、分解時を除いて、裏カバー部８５から完全に分離することはないので、裏カバー部８５には、収納ケース８２の四隅に対して係合するような係合爪は設けられていない。
【００６１】
スライド機構９３は、裏カバー部８５に設けられた溝９４と、スマートフォンＰ（収納ケース７２）側に設けられた係止駒９５とを備えている。溝９４には、スマートフォンＰの通常位置とスライド位置に対応して係止凹部９６，９７とレール９８が形成されている。係止駒９５は、レール９８に嵌合可能な構造を有していて、レール９８に沿って横方向に移動可能である。係止駒９５は、取付け部９９によって収納ケース８２に取り付けられている。係止駒９５は、更に、変形可能なバネ１００を備えており、バネ１００の膨出部分が係止凹部９６又は９７に係止する。スライド機構９３が図５（ｂ）に示す位置では、スマートフォンＰは、図５（ａ）において想像線で示すように裏カバー部８５上に納まる通常位置を占める。
【００６２】
カバー本体８３を開いた状態で、スマートフォンＰは収納ケース８２と共に、スライド機構９３において係止駒９５がレール９８に沿って移動することで、図５（ａ）の実線で示すように、側面カバー部８６を跨いでカバー本体８３の左右中央のスライド位置に移動可能である。表カバー部８４と裏カバー部８５にはそれぞれ左右のスピーカ９１，９２が配置されている。左右のスピーカ９１，９２は、横方向にスライドされたスマートフォンＰによって放音部が覆われることがないように、開いたカバー本体８３の表カバー部８４と裏カバー部８５の外側に寄せられた状態で分かれて配置されている。本例では、プラグ８７のコード８８は、裏カバー部８５の側面カバー部８６寄りの側面から引き出されているが、これに限られない。また、本例では、左右のスピーカ９１，９２は、表カバー部８４と裏カバー部８５の下側に寄せて配置されているが、表カバー部８４と裏カバー部８５の上側に寄せて配置することもできる。上記の構成以外の、電源、カバー本体８３内の内部配線等については、第１参考例の場合と同様に、表カバー部８４と裏カバー部８５に分配あるいは接続して配置・配線されるので、図示及び再度の説明を省略する。
【００６３】
携帯電子機器用保護カバー８１によれば、ブックカバー式のカバー本体８３を開いた状態において、縦置きされているスマートフォンＰをスライド機構９３によって裏カバー部８５に対して横方向にスライドさせて、開いたカバー本体８３の中央寄りに移動させる。左右のスピーカ９１，９２は、表カバー部８４と裏カバー部８５の外側に寄せられた状態で分かれて配置されているので、高いステレオ効果を維持することができる。
【００６４】
収納ケース８２とスライド機構９３との間に、横方向のスライド機構９３に対して縦方向のスライド機構を直列に介在させることによって、スマートフォンＰを裏カバー部８５に対して縦方向にスライドさせることも可能である。このような、縦横のスライド機構を構成することで、スマートフォンＰに備わるカメラレンズＣＬを、裏カバー部８５から上方に突出させることができ、カバー本体８３を開いた状態で、ステレオ音声を聴きながらカメラ撮影をすることができる。縦方向のスライド機構に代えて、第１実施例に示したような回転機構をスライド機構９３に対して直列に組み合わせておき、スマートフォンＰを裏カバー部８５に対して回転させ、その後更にスライド機構９３を作動させることでカメラレンズＣＬを裏カバー部８５の右方に突出させてもよい。
【００６５】
携帯電子機器用保護カバーの更に別の参考例（第３参考例）を説明する。図６は携帯電子機器用保護カバーの第３参考例を示す正面図であり、図６（ａ）はその一例を示す斜視図、図６（ｂ）はその変形例を示す斜視図である。図６において、収納ケース１０２、側面カバー部１０６、プラグ１０７、コード１０８、係合爪１０９は、図１に示した第１参考例の収納ケース２、側面カバー部６、プラグ２４、コード２５、係合爪９と同等であるので、再度の説明を省略する。図６（ａ）に示す携帯電子機器用保護カバー１０１において、カバー本体１０３の表カバー部１０４と裏カバー部１０５の縦長さは、スマートフォンＰの縦長さよりも長くされており、左右のスピーカ１１１，１１２は、裏カバー部１０５のスマートフォンＰで覆われない縦下側のマージン部分１０７において左右に分かれて配置されている。携帯電子機器用保護カバー１０１によれば、表カバー部１０４は、図示のように、裏カバー部１０５側に裏返して重ねた状態で使用することができる。図示の例では、表カバー部１０４は裏カバー部１０５に対して図で右側に設けられた側面カバー部１０６を介して接続されているが、図で左側に側面カバー部１０６を設けて、その側面カバーを介して接続してもよい。左右のスピーカ１１１，１１２は裏カバー部１０５の範囲内に配置される。スピーカ１１１，１１２間の距離は裏カバー部１０５の横幅内となるけれども、コンパクトに使用しながらもステレオ効果を確保することができる。なお、スピーカ１１１，１１２は、裏カバー部１０５の縦上側マージン部分において左右に分かれて配置させることもできる。スマートフォンＰと裏カバー部１０５との間には、縦方向のスライド機構１１４（又は横方向のスライド機構或いは回転機構）を配設することでスマートフォンＰの位置又は姿勢を変更して、カメラレンズＣＬをカバー本体１０３の外方に位置させることができる。この場合、スマートフォンＰと収納ケース１０２の動きがスピーカ１１１，１１２や係合爪１０９と干渉しないように配慮する。
【００６６】
図６（ｂ）に示す携帯電子機器用保護カバー１２１において、図６（ａ）に示す例と異なる部分について説明すると、カバー本体１２３の表カバー部１２４と裏カバー部１２５の横幅は、スマートフォンＰの横幅よりも広くされており、左右のスピーカ１３１，１３２は、棒状のスピーカであって、裏カバー部１２５のスマートフォンＰで覆われない左右のマージン部分１２７，１２８において左右に分かれて配置されている。表カバー部１２４は、図示のように、裏カバー部１２５側に裏返して重ねた状態で使用することができる。左右のスピーカ１３１，１３２は裏カバー部１３５の範囲内に配置される。スピーカ１３１，１３２間の距離は裏カバー部１２５の横幅内となるけれども、コンパクトに使用しながらもステレオ効果を確保することができる。カメラレンズＣＬをカバー本体１０３の外方に位置させるスライド機構１３４については、図６（ａ）に示す実施例の場合（スライド機構１１４）と同様のものを採用することができる。なお、収納ケース１２２、側面カバー部１２６、係合爪１２９、プラグ１３７，コード１３８については、図６（ａ）に示す収納ケース１０２、側面カバー部１０６、係合爪１０９、プラグ１０７、コード１０８と同等であるので、再度の説明を省略する。
【００６７】
この発明による携帯電子機器用保護カバーの更に別の実施例（第３実施例）を説明する。図７はこの発明による携帯電子機器用保護カバーの第３実施例を示す正面図である。図７に示す携帯電子機器用保護カバー１４１において、カバー本体１４３は、図４に示した第２参考例や図５に示した第２実施例と同様、一つの表カバー部１４４が一つの裏カバー部１４５の一方の側から側面カバー部１４６によって接続されてなるブックカバー式のカバー体である。スマートフォンＰは、スマートフォンＰを直接にフィットして収納する収納ケース１４２又は前記した粘着シートを備える収納板共々、縦置きされる状態から、図２〜図３に示されているような回転機構１５３によって、裏カバー部１４５に対して横置きされた状態に変更される。回転機構１５３は、スマートフォンＰ及び裏カバー部１４５の中央でなくいずれにおいても上側に寄った位置に設けられているので、スマートフォンＰの横置き状態では、スマートフォンＰの上左隅部が裏カバー部１４５の右上隅に合わされた位置を占める。回転機構１５３にはスライド機構（スマートフォンＰの縦置き状態で縦方向のスライド機構）を組み合わせることができる。スマートフォンＰが縦・横置き状態ではそのカメラレンズＣＬはそれぞれ裏カバー部１４５の上端・右端に寄っているので、いずれの場合もスライド量の少ないスライド機構によって、カメラレンズＣＬをカバー本体１４３の外方に突出させてカメラ撮影をすることができる（図では、横置き状態からそのまま右方へスライドした横画像での撮影状態が想像線で示されている）。カバー本体１４３の表裏を裏返して折り畳むことで、図６に示す参考例の状態でカメラ撮影をすることができ、また、図７の示す横置き状態から全体を９０度回転させて縦置き状態にすることで、縦画像にて撮影することができる。
【００６８】
上記の各実施例において、スピーカは、種々の形状のものを示したが、アクティブ又はパッシブ型のスピーカにかぎらず、所謂、平面スピーカでもよい。スマートフォンＰが、イヤフォン出力のみならず、ジャックからステレオ出力を出力することができる場合には、スピーカはアンプ内蔵型ではなくアンプ非内蔵型のものを用いて、ステレオ出力をアンプ非内蔵型のスピーカに直接出力して放音することもできる。また、各実施例では、本発明の電子機器用保護カバーの例として、スマートフォン用のカバーを例示するが、スマートフォンに限らず、携帯電話やタブレット端末などの電子機器、特に平板形状の電子機器に着脱可能な保護カバーにも本発明は適用可能である。第１実施例に示した左及び右の表カバー部の構造は左右で交換可能である。例えば、電源やプラグを左表カバー部ではなく、裏カバー部に設けることも可能である。また、図３に示した回転機構３４，４４及び図５に示したスライド機構９３の構造は、あくまで例示であって、必要に応じて多様なものに変形・変更可能である。
【符号の説明】
【００６９】
１，１ａ  携帯電子機器用保護カバー    ２  収納ケース
３  カバー本体                        ４  背板部
５  側壁部                            ６  孔
７，８  孔                          １０  裏カバー部
１１  左表カバー部                    １２  右表カバー部
１３  側面カバー部                    １４，１５  側端部分
１６，１７  マグネット                １８  窪み
１９  係合爪                          ２０  電源
２１，２２  スピーカ                  ２３  電源コード
２４  プラグ                          ２５  コード
２６  凹部                            ２７  スイッチ
２８  送信部                          ２９  受信部
３０  スライド機構                    ３１  携帯電子機器用保護カバー
３２  収納ケース                      ３３  カバー本体
３４  回転機構                        ３５  回動軸
３６  部分球面状の突起                ３７  軸孔
３８  部分球面状の凹部                ３９  窪み部
４０  付勢構造                        ４１  弾性体
４２  端板                            ４３  係止突起
４４  回転機構                        ４５  角盤
４６  バネ板                          ４７  膨出部分
４８  穴                              ４９  窪み部
５０  回転円盤                        ５１  スライド機構
５２  係止駒                          ５３  係止溝
６１  携帯電子機器用保護カバー        ６２  収納ケース
６３  カバー本体
６４  表カバー部                      ６５  裏カバー部
６６  側面カバー部                    ６７  プラグ
６８  コード                          ６９  係合爪
７０  スタンド片                      ７１，７２  スピーカ
７３  スタンド片
【００７０】
８１  携帯電子機器用保護カバー        ８２  収納ケース
８３  カバー本体
８４  表カバー部                      ８５  裏カバー部
８６  側面カバー部                    ８７  プラグ
８８  コード                          ９１，９２  スピーカ
９３  スライド機構                    ９４  溝
９５  係止駒                          ９６，９７  係止凹部
９８  レール                          ９９  取付け部
１００  バネ
１０１  携帯電子機器用保護カバー    １０２  収納ケース
１０３  カバー本体
１０４  表カバー部                  １０５  裏カバー部
１０６  側面カバー部                １０７  プラグ
１０８  コード                      １０９  係合爪
１１１，１１２  スピーカ            １１４  スライド機構
１２１  携帯電子機器用保護カバー    １２２  収納ケース
１２３  カバー本体
１２４  表カバー部                  １２５  裏カバー部
１２６  側面カバー部                １２７，１２８  マージン部分
１２９  係合爪                      １３１，１３２  スピーカ
１３４  スライド機構                １３７  プラグ
１３８  コード
１４１  携帯電子機器用保護カバー    １４２  収納ケース
１４３  カバー本体
１４４  表カバー部                  １４５  裏カバー部
１４６  側面カバー部                １５１，１５２  スピーカ
１５３  回転機構                    １５７  プラグ
１５８  コード
Ｐ  スマートフォン                      Ｊ  イヤフォン出力ジャック
Ｓ  スピーカ                          ＣＬ  カメラレンズ
【要約】
【課題】携帯電子機器からのステレオ音声信号に基づいてステレオ音声を出力する左右スピーカを可及的に離間させた状態に配設して、良好なステレオオーディオ出力環境を得ることができる携帯電子機器用保護カバーを提供する。
【解決手段】携帯電子機器用保護カバー３１において、カバー本体３３に備わる左右の表カバー部１１，１２を開いた際に、カバー本体３３の中央にスマートフォンＰが載置され、表カバー部１１，１２の内面側に左右のスピーカ２１，２２が現れる。スピーカ２１，２２は、カバー本体３３の左右幅方向に可及的に離れて位置している。回転機構３４によって横置き状態とされたスマートフォンＰに備わるディスプレイ部に表示される映像と併せて、スマートフォンＰのステレオ音声出力に基づいて左右のスピーカ２１，２２から出力されるステレオ音声を聴くことができる。
【選択図】図２【図１】
0005913678.tif 000002
【図２】
0005913678.tif 000003
【図３】
0005913678.tif 000004
【図４】
0005913678.tif 000005
【図５】
0005913678.tif 000006
【図６】
0005913678.tif 000007
【図７】
0005913678.tif 000008
【図８】
0005913678.tif 000009